(57)【要約】【課題】新たに送風装置を配設することなく「風」による遊技演出を行ない得る遊技機を提供する。【解決手段】内部に空間部２１ａを画成したエンクロージャ２１に、機前面側を指向するよう取付孔２３ａを形成し、該取付孔２３ａから前面が外部に露出するようスピーカ２６を配設する。また、前記エンクロージャ２１における前記取付孔２３ａから所要距離だけ離間する位置に、前記空間部２１ａと外部とを連通する第１の送風口２３ｂを機前面側を指向するよう形成する。これにより、前記スピーカ２６を作動させた際に、該スピーカ２６の後側から前記空間部２１ａに発せられた音波により該空間部２１ａ内の空気が振動させて、該空間部２１ａ内の圧力を変化させることで、内部空気を前記第１の送風口２３ｂから送出するようにした。【選択図】　図３
2004129726.tif 000002
【特許請求の範囲】
【請求項１】
図柄組合わせゲームを行なう図柄表示部と、前記図柄表示部での図柄組合わせゲームに合わせて所要の効果音を発する効果音出力装置とを備え、図柄組合わせゲームの結果に応じて遊技者に有利な遊技状態に移行するよう構成した遊技機において、
内部に空間部を画成したエンクロージャが配設されて、該エンクロージャに機前面側を指向するよう形成した第１の開口部に、前記効果音出力装置の前面が外部に露出するよう配設されると共に、
前記エンクロージャには、前記効果音出力装置を配設する前記第１の開口部から所要距離だけ離間する位置に、前記空間部と外部とを連通する第２の開口部が機前面側を指向するよう形成され、
前記効果音出力装置を作動させた際に、該効果音出力装置の後側から前記空間部に発せられた音波により該空間部内の空気を振動させて、該空間部内の圧力を変化させることで、内部空気を前記第２の開口部から送出するようにした
ことを特徴とする遊技機。
【請求項２】
前記効果音出力装置を、可聴周波数または不可聴周波数の音波を選択的に発するよう制御する制御手段を配設した請求項１記載の遊技機。
【請求項３】
前記第２の開口部は、前記図柄表示装置より上部位置に開口するよう形成される請求項１または２記載の遊技機。
【請求項４】
遊技媒体としての遊技球を遊技領域に打出す打球発射手段を備え、該打球発射手段の近傍に、前記第２の開口部が形成される請求項１または２記載の遊技機。
【請求項５】
不可聴周波数の音波を発するよう制御される前記効果音出力装置が配設される前記エンクロージャとは隔離して設けられて、内部に画成された空間部と外部とが非連通の第２のエンクロージャに、機前面側を指向するよう形成した第３の開口部から前面が外部に露出するように第２の効果音出力装置が配設され、該第２の効果音出力装置を可聴周波数の音波を発するよう制御する第２の制御手段を配設するようにした請求項１，３または４の何れかに記載の遊技機。
【発明の詳細な説明】
【０００１】
【発明の属する技術分野】
この発明は、遊技機に関し、更に詳細には、図柄表示部で行なわれる図柄組合わせゲームに合わせて、効果音出力装置から効果音を発するよう構成した遊技機に関するものである。
【０００２】
【従来の技術】
周知のように、パチンコ機に代表される遊技機には、遊技盤に画成された遊技領域に始動入賞具、特別入賞具等の遊技部品が多数配設されると共に、複数種類の図柄を変動表示させる液晶表示器等の図柄表示部が設けられたものがある。なお、前記特別入賞具には、開閉可能な開閉扉が設けられており、常には該特別入賞具を閉塞するようになっている。そして、遊技者が遊技領域に打出したパチンコ球が、前記始動入賞具に入賞すると、前記図柄表示部の図柄が所定のパターンで変動表示（例えば図柄が所定方向にスクロール）され、図柄組合わせゲームが行なわれ、この変動後に図柄が所定の組合わせで前記図柄表示部に停止表示されると、遊技者に有利な遊技状態（大当りゲーム）に移行し、前記特別入賞具の開閉扉が所定時間または所定回数となるまで継続的または断続的に開放されて、遊技者は多数のパチンコ球を獲得し得るようになる。このため、前記図柄表示部において図柄組合わせゲームが行なわれている間が、遊技者の関心が最も高まることになる。
【０００３】
そこで、従来より図柄表示部での図柄組合わせゲームに合わせて、前記遊技盤の盤面に配設した装飾ランプを点灯・消灯させて「光」による遊技演出を行なったり、遊技機の所要箇所に配設したスピーカ（効果音出力装置）から各種の「音」を発することで臨場感を高め、遊技の興趣を増大させる工夫がなされている。また、これらの装飾ランプやスピーカによる「光」や「音」での演出に加え、前記パチンコ機に送風ファンを配設して、該送風ファンから遊技者に向けて送風して「風」による遊技演出を行なうことで、より一層遊技の興趣を増大させるよう構成したパチンコ機も提案されている（例えば、特許文献１参照）。
【０００４】
【特許文献１】
特開平１０−１６５５６９号公報
【０００５】
【発明が解決しようとする課題】
ところで、前記パチンコ機には、パチンコ機全体を制御する主制御手段や前記図柄表示部等の各種遊技部品を制御する図柄表示制御手段、音声制御手段等が配設されると共に、パチンコ球が通出する球通路が形成される機構セット盤やパチンコ球の払出しを行なう球払出装置等の多数の構成部材が配設されている。このため、パチンコ機の裏側に前記送風ファンや該ファン用の制御手段を配設するスペースの確保が困難になると共に、送風ファン等を新たに配設するためコストや作業負担が増大する欠点がある。
【０００６】
【発明の目的】
本発明は、前述した従来の技術に内在している前記課題に鑑み、これを好適に解決するべく提案されたものであって、新たに送風装置を配設することなく「風」による遊技演出を行ない得る遊技機を提供することを目的とする。
【０００７】
【課題を解決するための手段】
前記課題を克服し、所期の目的を好適に達成するため、本発明に係る遊技機は、
図柄組合わせゲームを行なう図柄表示部（１５，４０）と、前記図柄表示部（１５，４０）での図柄組合わせゲームに合わせて所要の効果音を発する効果音出力装置（２６，５５）とを備え、図柄組合わせゲームの結果に応じて遊技者に有利な遊技状態に移行するよう構成した遊技機において、
内部に空間部（２１ａ，４１ａ，５１ａ）を画成したエンクロージャ（２１，４１，５１）が配設されて、該エンクロージャ（２１，４１，５１）に機前面側を指向するよう形成した第１の開口部（２３ａ，５１ｄ）に、前記効果音出力装置（２６，５５）の前面が外部に露出するよう配設されると共に、
前記エンクロージャ（２１，４１，５１）には、前記効果音出力装置（２６，５５）を配設する前記第１の開口部（２３ａ，５１ｄ）から所要距離だけ離間する位置に、前記空間部（２１ａ，４１ａ，５１ａ）と外部とを連通する第２の開口部（２３ｂ，４２，５１ｂ）が機前面側を指向するよう形成され、
前記効果音出力装置（２６，５５）を作動させた際に、該効果音出力装置（２６，５５）の後側から前記空間部（２１ａ，４１ａ，５１ａ）に発せられた音波により該空間部（２１ａ，４１ａ，５１ａ）内の空気を振動させて、該空間部（２１ａ，４１ａ，５１ａ）内の圧力を変化させることで、内部空気を前記第２の開口部（２３ｂ，４２，５１ｂ）から送出するようにしたことを特徴とする。
【０００８】
また、前記効果音出力装置（２６）を、可聴周波数または不可聴周波数の音波を選択的に発するよう制御する制御手段を配設してもよい。
【０００９】
更に、前記第２の開口部（２３ａ）を、前記図柄表示部（１５）より上部位置に形成するよう構成することもできる。
【００１０】
更にまた、遊技媒体としての遊技球を遊技領域（３８ａ）に打出す打球発射手段（３７）を備え、該打球発射手段（３７）の近傍に、前記第２の開口部（４２）を形成することもできる。
【００１１】
そして、不可聴周波数の音波を発するよう制御される前記効果音出力装置（５５）を配設する前記エンクロージャ（５１）とは隔離して、内部に画成した空間部（５２ａ）と外部とが非連通の第２のエンクロージャ（５２）を設け、該第２のエンクロージャ（５２）に機前面側を指向するよう形成した第３の開口部（５２ｂ）から前面が外部に露出するように第２の効果音出力装置（５６）を配設し、該第２の効果音出力装置（５６）を可聴周波数の音波を発するよう制御する第２の制御手段を配設してもよい。
【００１２】
【作用】
本発明に係る遊技機では、効果音出力装置を配設したエンクロージャに、該エンクロージャ内部の空間部と外部とを連通する第２の開口部を形成したことで、該効果音出力装置を作動して該空間部に発した音波により当該エンクロージャ内の圧力を変化させて内部空気が該開口部から外部に送出される。従って、遊技者は前記第２の開口部から送出された前記エンクロージャ内の内部空気により、送風された感覚を憶えるようになる。このように、遊技機に送風装置を配設することなく「風」による遊技演出を行なうことができると共に、コストの増大を防止し得る。また、新たに送風装置を配設するための作業負担が増加することもない。
【００１３】
前記効果音出力装置を可聴領域または非可聴領域の音波を選択的に発するよう制御すれば、「音」を出すことなく「風」による遊技演出のみを行なうことも可能である。また、内部空気を送出する前記第２の開口部を、遊技機の上部位置に配設して遊技者の顔に「風」を当てたり、打球発射手段の近傍に配設して遊技者の手に「風」を当てることにより、遊技者に「風」による遊技演出が明確に知覚されるので、より遊技の興趣が増大される。更に、不可聴周波数を発するよう制御した効果音出力装置を、前記開口部を有するエンクロージャ内に配設すると共に、該エンクロージャと隔離して、内部の空間部と外部とが非連通の第２のエンクロージャを設け、該第２のエンクロージャに可聴周波数の音波を発するよう制御した第２の効果音出力装置を配設することで、送風を行なうことなく「音」のみを出力することが可能となる。
【００１４】
【発明の実施の形態】
次に、本発明に係る遊技機につき、好適な実施例を挙げて、添付図面を参照しながら、以下詳細に説明する。
【００１５】
【第１実施例】
第１実施例では、図柄組合わせゲームの結果に応じて遊技者に有利な遊技状態に移行する遊技機として、パチンコ式スロットマシン機に効果音出力装置を配設する場合で説明する。図１に示すように、パチンコ式スロットマシン機１０は、コインの代わりにパチンコ球を用いたスロットマシン機であって、該パチンコ式スロットマシン機１０を遊技ホール内の設置枠台（通称「島」）に設置する設置枠として機能する外枠１１の開口前面側に中枠１２が取付けられ、該中枠１２の開口前面側に、連結支持手段１４および施錠手段２０を利用して前枠１３が着脱および開放可能に組付けられている（図２参照）。そして、前記中枠１２の略中央位置に図柄表示装置（図柄表示部）１５が配設され、前記前枠１３における図柄表示装置１５と対応する位置に、図柄表示装置１５を外部から視認し得るよう可視表示部１３ａを設けてある。また、前記中枠１２の裏側には、球容器や整流路および球送出路等からなる球貯留排出経路部等を備えた機構セット盤等（何れも図示せず）が装備されている。
【００１６】
ここで、前記図柄表示装置１５は、駆動基板を兼用するセット板に設けた回転駆動手段（図示せず）と、該回転駆動手段を構成する各プーリに展張巻装され、その表面に数字、アルファベット文字その他図形等の各種多様な図柄を配設した無端状の図柄ベルト１５ａと、照明手段（図示せず）等とを含めて単一にユニット化された３基の図柄表示ユニットから構成されて、各図柄ベルト１５ａの回転により図柄組合わせゲームを行なう遊技装置である。なお、本実施例では図２に示すように、前記中枠１２内に前記図柄表示ユニットを並列に収容セットしてある。
【００１７】
また、前記前枠１３における前記可視表示部１３ａの下方には、パチンコ球を貯留する上球皿１６および下球皿１７が夫々配設されると共に、該上球皿１６には、貯留したパチンコ球を機内に取り込む球取込ボタン１８ａや、前記各図柄ベルト１５ａを夫々同一方向に回転させて、図柄組合わせゲームを開始するスタートレバー１８ｂ等が設けてある。更に、前記上球皿１６の前面側には、前記各図柄ベルト１５ａに対応するストップボタン１８ｃが夫々設けられており、該ストップボタン１８ｃを押すことで、対応する図柄ベルト１５ａが停止するようになっている。そして、図柄組合わせゲームの結果（可視表示部１３ａに停止した図柄の組合わせ）に応じて、遊技者に有利な遊技状態に移行し、上球皿１６または下球皿１７に図示しない賞球払出装置の作動のもとで所定数のパチンコ球が給出される。
【００１８】
前記前枠１３の上部位置には、所要の装飾を施した装飾部１９が設けられており、該装飾部１９の下方に、内部に空間部２１ａが画成されたエンクロージャ２１の前板２２ａが、下方に向かうにつれて後方に傾斜する状態で配設されている（図１または図２参照）。図３に示すように、前記エンクロージャ２１は、後方側が開口した略矩形箱状のケース体２２と、該ケース体２２における後方開口の全体を被覆する遮蔽板２５とから形成される。また、前記ケース体２２の前板２２ａにおける左右方向に所要距離離間する位置には、後端部にネジ孔（図示せず）を有するボス部２２ｂ，２２ｂが後方に向かって突設されると共に、前記遮蔽板２５における各ボス部２２ｂと前後に整列する位置に、通孔（図示せず）が夫々形成されて、各通孔の後方から挿通したネジ（図示せず）をネジ孔に螺挿することにより、両部材２２，２５が固定されている。なお、前記ケース体２２と遮蔽板２５との間にはゴムパッキン等の目地材（図示せず）が介装されて、前記エンクロージャ２１の気密性を確保するようになっている。
【００１９】
前記ケース体２２の前板２２ａにおける両側部近傍には、前記空間部２１ａと外部とを連通する取付孔（第１の開口部）２３ａ，２３ａが、前記パチンコ式スロットマシン機１０の前面側（遊技者側）を指向するよう形成されており、各取付孔２３ａの近傍には後方に突出した突出部２２ｃ，２２ｃが形成されている。そして、前記各取付孔２３ａには、該取付孔２３ａの後側からスピーカ（効果音出力装置）２６が臨み、各スピーカ２６の前面が外部に露出するよう配設されている。ここで、前記各スピーカ２６は、該スピーカ２６に固定された取着部２６ａを前記突出部２２ｃ，２２ｃにネジ止め固定することで、スピーカ２６の前端縁が前記ケース体２２の前板２２ａに密着するようになっている（図４参照）。なお、図１に示すように、前記スピーカ２６の前側にはカバー部材２７が配設されており、各スピーカ２６の損傷を防止している。また、前記各スピーカ２６は、前記パチンコ式スロットマシン機１０（中枠１２）の裏側に配設した音声制御装置（図示せず）により、可聴周波数（周波数が略２０Ｈｚ〜２０，０００Ｈｚ）の音波、または不可聴周波数（可聴周波数以外の周波数）の音波を、前記図柄表示装置１５での図柄組合わせゲームに応じて選択的に発するよう制御される。
【００２０】
図３に示すように、前記ケース体２２の前板２２ａに形成した前記取付孔２３ａ，２３ａから所要距離だけ離間する略中央位置には、縦長の略矩形状に開口する第１の送風口（第２の開口部）２３ｂが形成されている。また、前記第１の送風口２３ｂの外周縁に、前記エンクロージャ２１内の空間部２１ａに延出する所要長のバスレフダクト２４が形成されて、第１の送風口２３ｂおよびバスレフダクト２４を介して空間部２１ａが外部に連通している。すなわち、前記各スピーカ２６の前面側から発せられた音波は、前記取付孔２３ａを介して外部に直接伝達されると共に、スピーカ２６の後面側から発せられた音波は、前記空間部２１ａおよびバスレフダクト２４を介して、前記第１の送風口２３ｂから外部に伝達される。なお、前記第１の送風口２３ｂにはカバー部材２８を取付けてあり（図１参照）、前記エンクロージャ２１内への異物の進入を防止している。
【００２１】
【第１実施例の作用】
次に、第１実施例に係るパチンコ式スロットマシン機の作用につき説明する。
【００２２】
遊技者が前記球取込ボタン１８ａを操作して所定数のパチンコ球を機内に取り込んだ後にスタートレバー１８ｂを操作すると、前記図柄表示装置１５の図柄ベルト１５ａが回転されて図柄組合わせゲームが開始される。このとき、前記スピーカ２６からは、音声制御装置の制御に基づいて可聴周波数の音波が発せられ、遊技の興趣を増大させている。ところで、一般的にスピーカの前後では、例えばスピーカのコーンが前方に動いた際には前面側の空気は押されて「密」となる一方で、後面は空気の薄い「疎」となるように、当該スピーカを境界として前後に逆の作用が行なわれることになる。すなわち、前記スピーカの前後からは、逆位相の音波が出力されるため、スピーカの前後から出力される逆位相の音波が干渉し合うと互いに打消し合って音が不鮮明になることが知られている（特に低音域に対して影響が顕著である）。
【００２３】
この第１実施例では、ケース体２２および遮蔽板２５で前記スピーカ２６の後方側を被覆しているので、該スピーカ２６の前後から出力される音の干渉が効果的に防止され、鮮明な「音」で遊技を楽しむことができる。なお、前記エンクロージャ２１の空間部２１ａの容積を変化させれば、鮮明に出力できる低音域の限界（限界周波数）を変更することも可能である（一般に、容積を大きくすることで限界周波数が下がり、より低音域の「音」を出力し得るようになる）。また、前記ケース体２２と遮蔽板２５との間に、目地材を配設して前記空間部２１ａの気密性を確保してあるので、前記スピーカ２６の後面側から出力された音波の音漏れを防止し得る。
【００２４】
更に、一般にエンクロージャ内の空間部と外部とを連通する開口部およびこの開口部からエンクロージャ内に延出するバスレフダクトを形成してスピーカから音を発すると、スピーカの後面側から発せられた音は、空間部とバスレフダクトにより所謂ヘルツホルムの共鳴を生じ、特定の周波数（反共振周波数という）で共振して開口部から外部に音が発せられると共に、この開口部からの放射音は該反共振周波数より高い周波数では、前記スピーカの前面から発せられた音と同位相となることが知られている。すなわち、第１実施例のパチンコ式スロットマシン機１０では、空間部２１ａと外部とを連通する前記第１の送風口２３ｂおよびバスレフダクト２４を設けた前記エンクロージャ２１内にスピーカ２６を配設してあるので、該スピーカ２６の前側から発せられた音波と、該第１の送風口２３ｂから発せられた音波とが同位相となって増強し合うこととなり、より一層迫力や臨場感に優れた「音」を楽しむことができる。
【００２５】
更に、前記スピーカ２６から発せられる音波は、空気振動による疎密波であることから、前記空間部２１ａに発せられた音波が「密」の状態にある場合には、該空間部２１ａの内部圧力が一時的に高い状態となる。このため、前記空間部２１ａの空気は前記バスレフダクト２４を介して前記第１の送風口２３ｂから外部に押し出される。一方、前記空間部２１ａに発せられた音波が「疎」の状態にある場合には、該空間部２１ａの内部圧力が一時的に低い状態となるため、前記第１の送風口２３ｂから外部空気を該エンクロージャ２１内に引き戻されるようになる。
【００２６】
このように、前記スピーカ２６を作動させた際に、該スピーカ２６の後面側から前記空間部２１ａに発した音波により該空間部２１ａ内の空気が振動されて、空間部２１ａ内の圧力が変化することで、内部空気が前記第１の送風口２３ｂから送出される。すなわち、前記バスレフダクト２４および第１の送風口２３ｂを介して「風」が遊技者に向けて吹き出されるようになるから、「風」による遊技演出により遊技の興趣を一層増大させることができる。また、前記第１の送風口２３ｂを図柄表示装置１５の上方に形成してあるので、該第１の送風口２３ｂからの「風」が遊技者の顔付近に向けて吹き出され、「風」による演出効果がより高められる。
【００２７】
また、前記スピーカ２６から発する音波の周波数や音圧を前記音声制御装置で制御すれば、遊技者に知覚させる「風」の強さを変化させることが可能である。このように、スピーカ２６を配設したエンクロージャ２１に第１の送風口２３ｂを形成することで、該第１の送風口２３ｂから遊技者に送風して遊技の興趣を増大させることができると共に、新たに送風ファンや該ファン用の制御手段を配設するコストや作業負担を低減させることが可能である。そして、前記音声制御装置により、前記スピーカ２６を可聴周波数の音波、または不可聴周波数の音波を選択的に発するよう制御したから、スピーカ２６から不可聴周波数の音波のみを発するようにすれば、遊技者に「音」を認識させることなく「風」による演出を認識させることができるので、種々の態様で遊技演出ができ、より遊技の興趣が増大される。
【００２８】
【第２実施例】
第２実施例では、図柄組合わせゲームの結果に応じて遊技者に有利な遊技状態に移行する遊技機としてパチンコ機を採用し、該パチンコ機に前記コーン型のスピーカを配設する場合で説明する。なお、前述の第１実施例と同一の部材には同一の符号を付して、詳細な説明は省略する。図５に示すように、前記パチンコ機３０は、外枠３１の開口前面側に対して中枠３２が、連結支持手段４５および施錠手段４６を利用して着脱および開放可能に組付けられ、該中枠３２にガラス枠３４および上球皿３５を組付けた前枠３３が組付けられている。また、前記中枠３２の下部に下球皿３６および打球発射装置（打球発射手段）３７等が設置されている。そして、前記打球発射装置３７を操作することで、前記上球皿３５に貯留したパチンコ球（図示せず）が後述の遊技領域３８ａに１球ずつ打出されるよう構成されている。
【００２９】
前記中枠３２に着脱交換可能にセットされる遊技盤３８には、略円形状に湾曲形成した図示しないレールにより囲まれた前記遊技領域３８ａが画成されており、該遊技領域３８ａの前側における略中央位置に配設されて該遊技盤３８を装飾する装飾部材３９の可視表示部３９ａに、図柄組合わせゲームを行なう図柄表示装置（図柄表示部）４０が臨んでいる。なお、前記遊技領域３８ａには、パチンコ球が通入して図柄組合わせゲームを開始させる始動入賞具や、遊技盤３８を装飾する装飾ランプ、図柄組合わせゲームの結果に応じて開放して遊技者に有利な遊技状態に移行する入賞装置、その他多数の遊技部品（何れも図示せず）が配設されている。
【００３０】
また、前記外枠３１の下部位置には、前述の第１実施例と同様に、後方に開口するケース体と、該ケース体の後方開口を閉塞する遮蔽板（何れも図示せず）とから構成したエンクロージャ４１が配設されている。そして、前記ケース体の左右に離間する位置に前記スピーカ２６，２６を取付ける取付孔（図示せず）が形成され、各スピーカ２６が前記パチンコ機３０の前側を指向するよう配設されている。前記各スピーカ２６は、前記パチンコ機３０の裏側に配設した図示しない音声制御装置（制御手段）により、前記図柄表示装置４０での図柄組合わせゲームに応じて、可聴周波数の音波または不可聴周波数の音波を選択的に発するよう制御されている。
【００３１】
図５に示すように、前記エンクロージャ４１は前記打球発射装置３７の近傍まで延在されると共に、該エンクロージャ４１内の空間部４１ａと外部とを連通する第２の送風口（第２の開口部）４２が、該打球発射装置３７に向けて開設されており、当該エンクロージャ４１の右端部から第２の送風口４２まで延在する通路が、第２のバスレフダクト４４として機能するよう構成されている。すなわち、前記第２の送風口４２は、前記打球発射装置３７を把持する遊技者の手に向けて開設される。なお、前記第２の送風口４２には、前記エンクロージャ４１の内部への異物の進入を防止するカバー部材４３が取付けてある。
【００３２】
【第２実施例の作用】
次に、第２実施例に係るパチンコ機の作用につき説明する。
【００３３】
遊技者が前記打球発射装置３７を操作して、前記上球皿３５のパチンコ球を前記遊技領域３８ａに打出し、この打出されたパチンコ球が前記始動入賞具に通入すると前記図柄表示装置４０で図柄変動がなされて、図柄組合わせゲームが開始される。このとき、前記スピーカ２６，２６からは、音声制御手段の制御に基づいて可聴周波数の音波、または不可聴周波数の音波が選択的に発せられることとなる。従って、この場合にも、前述した第１実施例と同様の作用効果が得られる。また、第２実施例では、「風」が送り出される第２の送風口４２を、遊技を行なう際に遊技者が把持する打球発射装置３７の近傍に形成したから、遊技者に対し該第２の送風口４２からの送風を敏感に認識させ得るので、「風」による効果的な演出を行なうことができる。
【００３４】
【変更例】
なお、各実施例では遊技機としてパチンコ式スロットマシン機またはパチンコ機を例に挙げて説明したが、これに限られるものではなく、アレンジボール機やスロットマシン機等であってもよい。また、前記エンクロージャ内に配設する効果音出力装置としてはスピーカに限られず、各種の「音」を出力可能な従来公知の装置・部材を採用することができる。更に、前記ケース体と遮蔽板とにより画成された空間部に、効果音出力装置を左右に離間させて１基ずつ配設するようにしたが、その数および配設位置はこれに限られず、適宜に変更することが可能である。
【００３５】
更に、前記スピーカを同一のエンクロージャ内に配設するようにしたが、夫々独立したエンクロージャに配設してもよい。例えば、図６に示すように、ケース体５７の所要位置に仕切板５８を設けて、第１のエンクロージャ５１と第２のエンクロージャ５２とを左右に隔離して形成する。また、前記第１のエンクロージャ５１には、該第１のエンクロージャ５１内部に画成された第１空間部５１ａと外部とを連通させた第３の送風口（第２の開口部）５１ｂおよびバスレフダクト５１ｃを形成するのに対して、第２のエンクロージャ５２は、該第２のエンクロージャ５２内部に画成された第２空間部５２ａと外部とが非連通となるよう構成する。更に、前記第１のエンクロージャ５１に、機前面側を指向するよう形成した第１の取付孔（第１の開口部）５１ｄから不可聴周波数の音波を発する第１のスピーカ５５が前面側を指向するよう配設し、第２のエンクロージャ５２に機前面側を指向するよう形成した第２の取付孔（第３の開口部）５２ｂから可聴周波数の音波を発するよう制御された第２のスピーカ５６を配設する。
【００３６】
すなわち、不可聴周波数の音波を発する第１のスピーカ５５と、可聴周波数の音波を発する第２のスピーカ５６とは、前記仕切板５８を挟んで隔絶されており、前記第３の送風口５１ｂからは、第１のスピーカ５５のコーンが振動した際にのみ「風」が送り出されることとなる。このため、前記第１のスピーカ５５のみを動作させれば、「風」による遊技演出のみを行ない得ると共に、前記第２のスピーカ５６のみを動作させれば、「音」による遊技演出のみを行なうことができ、更に、両スピーカ５５，５６を動作させることで、「風」と「音」とを組合わせた遊技演出が可能となるので、遊技者により多彩な遊技演出で遊技を楽しませることができるようになる。
【００３７】
なお、前記エンクロージャに形成する開口部（送風口）およびバスレフダクトの形成箇所としては、前記実施例のものに限らず、パチンコ式スロットマシンにおけるストップボタンやスタートレバー近傍等の所要に応じた位置に形成するようにすればよい。更に、バスレフダクトを延長屈曲させた迷路状に構成し、該ダクトの全長を長くすることで、より低音域まで再生可能とすることもできる。更にまた、バスレフダクトの幅員を、出力側（外側）に向かって徐々に広げていく、所謂バックロードホーンタイプとすれば、より低音域を強く再生できるようになるので、歯切れの良い音の出力が可能となる。
【００３８】
【発明の効果】
以上に説明したように、本発明に係る遊技機によれば、効果音出力装置を配設したエンクロージャに、空間部と外部とを連通する第２の開口部を形成することで、該効果音出力装置を作動してエンクロージャ内の内部空気を、第２の開口部から外部に送出することができる。従って、効果音出力装置を作動させることで、遊技者は前記第２の開口部から送風された感覚を憶えるようになるので、遊技機に送風装置を配設することなく「風」による遊技演出を行ない得る。また、新たに送風装置を配設するためのコストや作業負担が増加することもない。
【００３９】
更に、前記効果音出力装置を可聴領域または非可聴領域の音波を選択的に発するよう制御すれば、「音」を出すことなく「風」による遊技演出のみを行なうことも可能となり、より一層の遊技演出を増大させ得る。また、内部空気を送出する前記第２の開口部を、遊技機の上部位置に設けて遊技者の顔に向けて「風」を送風したり、打球発射手段の近傍に設けて遊技者の手に向けて「風」を送風することで、より遊技の興趣が増大される。更に、不可聴周波数を発するよう制御した効果音出力装置を、前記第２の開口部を有するエンクロージャ内に配設すると共に、該エンクロージャと隔離して、内部の空間部と外部とが非連通の第２のエンクロージャを設け、該第２のエンクロージャに可聴周波数の音波を発するよう制御した第２の効果音出力装置を配設することで、送風を行なうことなく「音」のみを出力することが可能となる。
【図面の簡単な説明】
【図１】本発明の第１実施例に係るパチンコ式スロットマシン機を示す斜視図である。
【図２】第１実施例に係るパチンコ式スロットマシン機の前枠を開放した状態で示す斜視図である。
【図３】第１実施例に係るエンクロージャおよびスピーカを分解した状態で示す横断平面図である。
【図４】第１実施例に係るエンクロージャにスピーカを取付けた状態を示す横断平面図である。
【図５】第２実施例に係るパチンコ機を示す正面図である。
【図６】変更例に係るエンクロージャを示す横断平面図である。
【符号の説明】
１５　図柄表示装置（図柄表示部）
２１　エンクロージャ
２１ａ　空間部
２３ａ　取付孔（第１の開口部）
２３ｂ　第１の送風口（第２の開口部）
２６　スピーカ（効果音出力装置）
３７　打球発射装置（打球発射手段）
４０　図柄表示装置（図柄表示部）
４１　エンクロージャ
４１ａ　空間部
４２　第２の送風口（第２の開口部）
５１　第１のエンクロージャ
５１ａ　第１空間部（空間部）
５１ｂ　第３の送風口（第２の開口部）
５１ｄ　第１の取付孔（第１の開口部）
５２　第２のエンクロージャ
５２ｂ　第２の取付孔（第３の開口部）
５５　第１のスピーカ（効果音出力装置）
５６　第２のスピーカ（第２の効果音出力装置）
【図１】
2004129726.tif 000003
【図２】
2004129726.tif 000004
【図３】
2004129726.tif 000005
【図４】
2004129726.tif 000006
【図５】
2004129726.tif 000007
【図６】
2004129726.tif 000008